(57)【特許請求の範囲】
【請求項１】
可動ブロックと、前記可動ブロックに縦軸まわりに回転自在に連結された固定ブロックとを有し、前記可動ブロックと前記固定ブロックが上下方向に対向する互いの対向面で摺接するように設けられたヒンジ装置と、
収納ケースと、前記収納ケースに突没自在に設けられた突起体とを有し、前記突起体が突出方向にバネ付勢された指詰め防止装置とを備え、
前記ヒンジ装置の前記可動ブロックが扉に固定され、前記固定ブロックが扉枠に固定され、
前記指詰め防止装置の前記収納ケースが前記扉に固定され、前記突起体の先端が前記固定ブロックの外側面に当接するように設けられており、
前記指詰め防止装置の前記突起体は、前記扉が全閉位置から直角に開いた状態において、前記ヒンジ装置の前記固定ブロックの角部分又は角部分近傍に当接するように、平面視にて傾いた姿勢で突出することを特徴とするヒンジ構造。
【発明の詳細な説明】
【技術分野】
【０００１】
本発明は、扉を扉枠に取り付けるためヒンジ構造に関する。
【背景技術】
【０００２】
扉を扉枠に取り付けるために、ヒンジ構造が用いられる。従来のヒンジ構造は、一対の羽根板の端縁部同士をピンによって開閉自在に連結させたものが一般的である（特許文献１等参照）。
【先行技術文献】
【特許文献】
【０００３】
【特許文献１】特開平８−２５４０６４号公報
【発明の概要】
【発明が解決しようとする課題】
【０００４】
しかし、上記した従来のヒンジ構造では、扉を開閉する際に隙間が生じ、この隙間に指を挟みやすいという問題があった。
【０００５】
本発明は、前記問題点に鑑みて発明したものであり、扉開閉の際に指を挟んでしまうといった事態を抑えることのできるヒンジ構造を提案することを、課題とする。
【課題を解決するための手段】
【０００６】
前記課題を解決するために本発明を、可動ブロックと、前記可動ブロックに縦軸まわりに回転自在に連結された固定ブロックとを有し、前記可動ブロックと前記固定ブロックが上下方向に対向する互いの対向面で摺接するように設けられたヒンジ装置と、収納ケースと、前記収納ケースに突没自在に設けられた突起体とを有し、前記突起体が突出方向にバネ付勢された指詰め防止装置とを備え、前記ヒンジ装置の前記可動ブロックが扉に固定され、前記固定ブロックが扉枠に固定され、前記指詰め防止装置の前記収納ケースが前記扉に固定され、前記突起体の先端が前記固定ブロックの外側面に当接するように設けられたヒンジ構造とする。
【０００７】
本発明では、前記指詰め防止装置の前記突起体は、前記扉が全閉位置から直角に開いた状態において、前記ヒンジ装置の前記固定ブロックの角部分又は角部分近傍に当接するように、平面視にて傾いた姿勢で突出する。
【発明の効果】
【０００８】
本発明は、扉開閉の際に指を挟んでしまうといった事態を抑えることができるという効果を奏する。
【図面の簡単な説明】
【０００９】
【図１】本発明の一実施形態のヒンジ構造で扉を扉枠に取り付けた正面図である。
【図２】同上のヒンジ構造をなす下側ヒンジ装置を下側取付ベースに装着した斜視図である。
【図３】同上の下側ヒンジ装置の斜視図である。
【図４】同上の下側ヒンジ装置の他の斜視図である。
【図５】同上の下側ヒンジ装置の分解斜視図である。
【図６】同上の下側取付ベースの斜視図である。
【図７】同上の下側取付ベースの分解斜視図である。
【図８】同上の下側ヒンジ装置を途中まで開いた斜視図である。
【図９】同上の下側ヒンジ装置を全開にした斜視図である。
【図１０】同上の下側ヒンジ装置と組み合わせて用いる上側ヒンジ装置の斜視図である。
【図１１】同上の上側ヒンジ装置に装着して用いる上側取付ベースの斜視図である。
【図１２】同上のヒンジ構造をなす指詰め防止装置の平面図である。
【図１３】同上の指詰め防止装置を下側ヒンジ装置に組み合わせた斜視図である。
【図１４】（ａ）〜（ｃ）は同上の指詰め防止装置の動作を説明するための概略平面図である。
【発明を実施するための形態】
【００１０】
本発明を、添付図面に示す実施形態に基づいて説明する。
【００１１】
図１は、本発明の一実施形態のヒンジ構造を用いて扉１００を扉枠１１０に取り付け、この扉１００を全閉状態とした正面図である。本文中において用いる上下、前後、左右等の各方向は、この全閉状態を基準とする。
【００１２】
本実施形態のヒンジ構造では、ヒンジ装置として下側ヒンジ装置Ａと上側ヒンジ装置Ｂを備え、下側ヒンジ装置Ａによって扉１００と扉枠１１０の下部同士を回動自在に連結させ、上側ヒンジ装置Ｂによって扉１００と扉枠１１０の上部同士を回動自在に連結させる。
【００１３】
下側ヒンジ装置Ａと上側ヒンジ装置Ｂの構造は、略同様の構造を上下反転させたものとなっている。したがって、まず下側ヒンジ装置Ａの構造について詳しく述べる。なお、図２〜図９には、下側ヒンジ装置Ａやこれと共に用いる下側取付ベース６０を示し、図１０や図１１に、上側ヒンジ装置Ｂやこれと共に用いる上側取付ベース８０を示す。図１２〜図１４には、指詰め防止装置９０について示している。
【００１４】
図３〜図５等に示すように、下側ヒンジ装置Ａは、第一回転軸５まわりに回転自在に連結された可動ブロック２と固定ブロック１を備える。可動ブロック２はさらに、中間ブロック３と扉側ブロック４からなる。中間ブロック３は、固定ブロック１に対して第一回転軸５まわりに回転自在に連結されるブロックであり、扉側ブロック４は、この中間ブロック３に対して第二回転軸６まわりに回転自在に連結されるブロックである。第一回転軸５と第二回転軸６は、共に鉛直方向を軸方向とした縦軸であり、位置をずらして配置される。
【００１５】
図５の分解斜視図で示すように、固定ブロック１では、共に平板状である位置調整プレート７、位置調整ベース８及び位置調整ベースカバー９を、互いの厚み方向（即ち上下方向）に積層させて、位置調整プレート部１０を構成している。この位置調整プレート部１０の周囲を、側部カバー１１で覆っている。位置調整プレート部１０には、水平プレート１２と鉛直プレート１３をＬ字状に連続して有する枠側連結具１４が、左右調整用のカム機構を介して左右スライド自在に連結される。具体的には、位置調整プレート７にカム孔１５を設け、枠側連結具１４の水平プレート１２上にカム板１６を回転自在に支持し、このカム板１６をカム孔１５内に配することで、左右調整用のカム機構を形成している。
【００１６】
カム板１６にはドライバ溝として十字溝を設けており、位置調整ベース８と位置調整ベースカバー９には、この十字溝に外部からドライバ先端を挿入するための位置調整窓１７，１８を、それぞれ設けている。これら十字溝や位置調整窓１７，１８により、カム板１６を外部から回転操作するためのカム操作部が形成される。
【００１７】
また、位置調整プレート７には、左右調整用の固定ネジ１９を挿通させる挿通孔２０を設けている。この固定ネジ１９の先端を水平プレート１２に螺合させ、固定ネジ１９の頭部と水平プレート１２との間で位置調整プレート７を挟持することで、位置調整プレート部１０の左右位置が固定される。
【００１８】
固定ネジ１９の頭部にはドライバ溝として十字溝を設けており、位置調整ベース８と位置調整ベースカバー９には、この十字溝に外部からドライバ先端を挿入するための固定操作窓２１，２２を設けている。これら十字溝や固定操作窓２１，２２により、固定ネジ１９を外部から回転操作するための固定操作部が形成される。
【００１９】
また、水平プレート１２のガイド孔２４を通じて下方から位置調整用軸２３を挿入し、この位置調整用軸２３の先端を位置調整プレート７に固定することで、位置調整プレート部１０の左右方向のスライドがガイドされるように設けている。
【００２０】
位置調整ベースカバー９には、第一回転軸５が挿入される第一回転軸挿入孔２５と、この第一回転軸挿入孔２５（即ち第一回転軸５）を中心とした第一円弧状長孔２６を貫通形成している。第一円弧状長孔２６は、その端部に折れ曲がり部分２７を有している。位置調整ベース８や位置調整プレート７においても、連通する箇所に同様の孔部を形成している。
【００２１】
枠側連結具１４の鉛直プレート１３には、一対の位置固定孔２８と位置調整窓２９が貫通形成されており、さらに、長片状の仮保持解除片５０が回転自在に装着されている。水平プレート１２からは、位置調整用軸２３の下部がガイド孔２４を通じて突出される。
【００２２】
この鉛直プレート１３には、図６、図７に示す下側取付ベース６０が仮保持及び本固定される。下側取付ベース６０の構造については後述する。
【００２３】
中間ブロック３では、共に平板状である中間プレートスペーサ３０、中間プレート３１、小プレート３２及び中間プレートカバー３３を、互いの厚み方向に積層させ、その周囲を側部カバー３４で覆っている。
【００２４】
中間プレートカバー３３と中間プレート３１の間のスペースには、両端に第一係止ピン３５と第二係止ピン３６を装着するプロペラ状の連動アーム３７を、中央の回転軸部３８まわりに回転自在に配している。第一係止ピン３５は、中間プレート３１と中間プレートスペーサ３０に設けた長孔を通じて下向き、つまり固定ブロック１側に突出するように配置される。第二係止ピン３６は、中間プレートカバー３３に設けた長孔を通じて上向き、つまり扉側ブロック４側に突出するように配置される。
【００２５】
中間ブロック３には、中間プレートスペーサ３０、中間プレート３１及び小プレート３２を貫くようにピン状の第一回転軸５が連結され、この第一回転軸５の下部が固定ブロック１側に突出される。また、中間ブロック３には、中間プレート３１、小プレート３２及び中間プレートカバー３３を貫くように第二回転軸６が連結され、この第二回転軸６の上部が扉側ブロック４側に突出される。
【００２６】
扉側ブロック４では、扉側取付プレートカバー４０、扉側第一取付プレート４１及び扉側第二取付プレート４２を厚み方向に積層させて扉側取付プレート部４４を形成し、この扉側取付プレートカバー４０に、枠状の扉側連結具４３を装着している。扉側連結具４３からは、固定ブロック１側にむけてスカート片４５を延設している。スカート片４５には、切り欠き窓４６を設けている。
【００２７】
扉側取付プレートカバー４０には、ピン状の第二回転軸６が回動自在に挿入される第二回転軸挿入孔４７と、この第二回転軸挿入孔４７（即ち第二回転軸６）を中心とした第二円弧状長孔４８を貫通形成している。第二円弧状長孔４８は、その端部に折れ曲がり部分４９を有している。また、扉側第二取付プレート４２と扉側第一取付プレート４１においても、連通する箇所に同様の孔部を形成している。
【００２８】
以上のようにして、下側ヒンジ装置Ａの固定ブロック１及び可動ブロック２が形成される。下側ヒンジ装置Ａは、前述のように下側取付ベース６０を介して、扉枠１１０に取付固定される。
【００２９】
下側取付ベース６０では、図６や図７に示すように、前後調整用の位置調整プレート６１、位置調整スペーサ６２及び枠側取付ベース６３を、互いの厚み方向（左右方向）に積層させている。
【００３０】
位置調整プレート６１と位置調整スペーサ６２は、前後調整用のカム機構を介して、金属製の枠側取付ベース６３に対して前後スライド自在に連結される。具体的には、位置調整プレート６１にカム孔６４を設け、枠側取付ベース６３にカム板６５を回転自在に支持させ、このカム板６５をカム孔６４内に配することで、前後調整用のカム機構を形成している。カム板６５にはドライバ溝として十字溝を設けており、固定ブロック１の枠側連結具１４に下側取付ベース６０を装着したときには、枠側連結具１４の位置調整窓２９を通じて十字溝にドライバ先端を挿入できるように設けている。
【００３１】
また、位置調整スペーサ６２には、異形ナット７５を一対一で嵌合させるナット孔６６を、一対設けている。枠側取付ベース６３には、異形ナット７５の端部が前後スライド自在に収められる一対のスライド孔６７を設けている。
【００３２】
この異形ナット７５に対して、枠側連結具１４の位置固定孔２８を通じて固定ネジ６８をそれぞれ螺合させ、固定ネジ６８の頭部と異形ナット７５との間で、枠側連結具１４と位置調整プレート６１を挟持する。これにより、枠側連結具１４がその前後位置で固定される。
【００３３】
また、位置調整スペーサ６２の前後両側の端縁からは、弾性を有する係止爪片６９をそれぞれ同一方向に突設している。この係止爪片６９は、位置調整スペーサ６２に対して枠側連結具１４の鉛直プレート１３を仮保持するための仮保持構造として機能する。この一対の係止爪片６９のうち一方は、枠側連結具１４に装着された状態において仮保持解除片５０を回転操作すれば、仮保持解除片５０の端部が当って押し広がり、爪部分による仮保持が解除されるように設けている。解除機構をなす仮保持解除片５０の回転中心部には、外部から解除操作を行うための解除操作部７０として、ドライバ先端が挿入される十字溝を設けている。
【００３４】
さらに、位置調整プレート６１の下端からは水平片７１を延設しており、この水平片７１の先端部に載置台７２を設けている。載置台７２の上面には、金属部材からなる位置決め係合部７３を設けている。位置決め係合部７３は、平面視において左右方向を長手方向とした長穴状の凹溝を有している。この載置台７２の上面には、下側ヒンジ装置Ａが有する枠側連結具１４の水平プレート１２が載置される。このとき、位置決め係合部７３の凹溝内には、被係合部となる位置調整用軸２３の下部（図４参照）が挿入される。位置決め係合部７３をなす金属部材（ひいてはこれに載置される下側ヒンジ装置Ａ）は、載置台７２の側面に設けた上下調整ネジ７４を正逆回転させることによって、上下位置調整される。
【００３５】
以上、下側ヒンジ装置Ａとこれに装着する下側取付ベース６０の構造について説明した。次に、上側ヒンジ装置Ｂとこれに装着する上側取付ベース８０について説明する。
【００３６】
図１０に示す上側ヒンジ装置Ｂは、前述したように、下側ヒンジ装置Ａの構造を上下反転させた基本構造を有する。したがって、上側ヒンジ装置Ｂの構造については、下側ヒンジ装置Ａと同一符号を付して詳しい説明を省略する。
【００３７】
図１１に示す上側取付ベース８０は、下側取付ベース６０の構造を上下反転させた基本構造を有する。なお、上側取付ベース８０においては、載置台７２の代わりに、中央に切欠部８１を備えた二股状の水平片８２を備えている。切欠部８１は、上側ヒンジ装置Ｂが備える枠側連結具１４から上方に突出する位置調整用軸２３が、水平片８２と接触しないように逃がす部分となる。上側取付ベース８０の他の構造については、下側取付ベース６０と同一符号を付して詳しい説明を省略する。
【００３８】
図１２には、扉１００側に取り付けて用いる指詰め防止装置９０を示している。この指詰め防止装置９０は、平面視矩形状をなす収納ケース９１と、この収納ケース９１の一側面から突没自在に設けた突起体９２と、突起体９２を突出方向に付勢するコイル状のバネ部材９３とを備える。収納ケース９１内には、突起体９２を一直線上で往復スライド自在に収容するスペースを形成しており、このスペース内にバネ部材９３を配している。
【００３９】
図１に示すように、指詰め防止装置９０は、扉１００の下端面に形成した切欠部分１０１に、下側ヒンジ装置Ａの可動ブロック２と隣接するように固定する。指詰め防止装置９０は、扉１００の下部に隠れて前方及び後方からは視認されない。
【００４０】
この箇所に固定することで、指詰め防止装置９０の収納ケース９１の一側面が扉側ブロック４のスカート片４５に側方から当たり、且つ、収納ケース９１の一側面から水平方向に突出した突起体９２が、スカート片４５の切り欠き窓４６を通じて可動ブロック２の下方に挿入される（図１３、図１４参照）。切り欠き窓４６内に挿入された突起体９２の先端部は、固定ブロック１の外側面つまり側面視コ字状をなす側部カバー１１の外側面に、付勢力を伴って押し当てられる。
【００４１】
図１４に示すように、扉１００が全閉位置にあるとき、突起体９２の先端部は、固定ブロック１の外側面のうち左右方向内側をむく部分に押し当てられる。このとき、可動ブロック２は固定ブロック１に対して平面視にて略全体が重なるように位置する。第一回転軸５は、固定ブロック１の前側且つ左右方向外側の部分に位置するので、扉１００が全閉位置から第一回転軸５まわりに回転すると、可動ブロック２は、平面視にて固定ブロック１と重なる位置から、徐々に前方へとずれていく。これに伴い、可動ブロック２と一体に動作する指詰め防止装置９０の突起体９２が押し当る箇所も、徐々に前方に移動していく。扉１００が直角にまで開く途中で、突起体９２の押し当る箇所は、固定ブロック１の外側面の角部分を乗り越え、固定ブロック１の外側面のうち前側をむく部分にまで移動する。ここで、突起体９２は、平面視にて収納ケース９１の長手方向に対して（つまりこの収納ケース９１が固定される扉１００の平面視長手方向に対して）傾いた姿勢で突出するように設けている。そのため、扉１００が直角に開いた時点で、突起体９２の先端部は、固定ブロック１の左右方向内側の角部分近傍に当接する。なお、扉１００が直角に開いた時点で、突起体９２の先端部が角部分に直接当るように設けても構わない。
【００４２】
一方、このように直角に開いた時点から扉１００を閉じていくと、これに伴い、突起体９２は途中で固定ブロック１の角部分を乗り越えながら徐々に収納ケース９１に没入されていく。扉１００が全閉位置に至れば、突起体９２は略全体が収納ケース９１内に没入される。
【００４３】
上記した下側ヒンジ装置Ａ、下側取付ベース６０、指詰め防止装置９０、上側ヒンジ装置Ｂ及び上側取付ベース８０を用いて、扉１００を扉枠１１０に回転自在に取り付けるための取付構造が形成される。
【００４４】
具体的には、以下に述べるようにして扉１００が取り付けられる。まず、扉枠１１０の内側面下部に、下側取付ベース６０の枠側取付ベース６３をネジ固定する。このとき、下側取付ベース６０の載置台７２下面が床面に当接するように設ける（図１参照）。扉枠１１０の内側面上部には、上側取付ベース８０の枠側取付ベース６３をネジ固定する。扉枠１１０に固定された下側取付ベース６０と上側取付ベース８０とは、基本的な構成が上下反転した配置となる。
【００４５】
扉１００の左右方向端部の下面及び上面には、それぞれ切欠部分１０１，１０２を設けておき、下面側の切欠部分１０１に、下側ヒンジ装置Ａの扉側ブロック４が有する扉側取付プレート部４４を、ネジ固定する。この切欠部分１０１には、上述の如く指詰め防止装置９０もネジ固定する。上側の切欠部分１０２には、上側ヒンジ装置Ｂの扉側ブロック４が有する扉側取付プレート部４４を、ネジ固定する。扉１００に固定された下側ヒンジ装置Ａと上側ヒンジ装置Ｂとは、基本的な構成が上下反転した配置となる。なお、本実施形態では下側にだけ指詰め防止装置９０を装着しているが、上側に同様の指詰め防止装置９０を装着してもよい。
【００４６】
ここで、下側ヒンジ装置Ａと上側ヒンジ装置Ｂの両者の可動ブロック２を、固定ブロック１に対して所定角度（例えば９０°）回転させた状態にセットする。このとき、可動ブロック２が所定角度だけ回転した姿勢で保持されるように、固定ブロック１側に回転ロック用の施行治具を装着しておくことが好ましい。
【００４７】
この状態で、扉１００の吊元側となる左右方向端部を持ち上げて、まずは下側ヒンジ装置Ａの固定ブロック１を、下側取付ベース６０の載置台７２の上面に載置する。このとき、載置台７２に設けた位置決め係合部７３の凹溝内に、固定ブロック１から下方に突出する被係合部（即ち、位置調整用軸２３の下部）が挿入され、扉１００の位置決めがなされる。
【００４８】
この位置決め部分を支点として、扉１００全体を扉枠１１０側に押し込む。これにより、下側取付ベース６０に備えた一対の係止爪片６９間に、下側ヒンジ装置Ａが備える枠側連結具１４の鉛直プレート１３が、弾性的に係止される。同様に、上側取付ベース８０に備えた一対の係止爪片６９間に、上側ヒンジ装置Ｂが備える枠側連結具１４の鉛直プレート１３が、弾性的に係止される。つまり、扉１００全体を押し込む作業により、取付構造を介して、扉１００全体が扉枠１１０に仮保持される。
【００４９】
この仮保持状態において、取付構造を介して扉１００を扉枠１１０に本固定する。具体的には、下側ヒンジ装置Ａが備える枠側連結具１４の鉛直プレート１３に設けた位置固定孔２８から固定ネジ６８を挿入し、これを下側取付ベース６０の異形ナット７５に螺合させる。これにより、下側ヒンジ装置Ａの枠側連結具１４が下側取付ベース６０に固定される。同様に、上側ヒンジ装置Ｂにおいても、位置固定孔２８から固定ネジ６８を挿入して異形ナット７５に螺合させることで、上側ヒンジ装置Ｂの枠側連結具１４が上側取付ベース８０に固定される。
【００５０】
即ち、下側取付ベース６０と上側取付ベース８０において、一対の係止爪片６９が仮保持構造として機能し、ナット孔６６やここに嵌合される異形ナット７５が、本固定構造として機能する。
【００５１】
以上のように、本実施形態の取付構造では、下側取付ベース６０と上側取付ベース８０に設けた仮保持構造や本固定構造を利用することによって、仮に作業者が一人であっても扉１００を簡単に取り付けられるようになっている。
【００５２】
ここで、扉枠１１０に取り付けられた扉１００の開閉動作、即ち下側ヒンジ装置Ａや上側ヒンジ装置Ｂの開閉動作について、さらに詳細に述べる。本実施形態の下側ヒンジ装置Ａや上側ヒンジ装置Ｂの基本的な動作は、特開２００５−１４６６２５号公報に記載のものと同様であり、扉１００が全閉位置にあるときには、図２に示すように固定ブロック１と可動ブロック２は完全に重なった状態となる。
【００５３】
図２の全閉位置では、中間ブロック３から下方に突出した第一係止ピン３５の先端部分が、固定ブロック１の第一円弧状長孔２６の吊元側端部に位置する。また、中間ブロック３から上方に突出した第二係止ピン３６の先端部分が、扉側ブロック４の第二円弧状長孔４８の折れ曲がり部分４９端部に位置する。
【００５４】
上記の全閉位置から扉１００を開けると、扉側ブロック４は第二回転軸６まわりに回転することなく、中間ブロック３と一体に固定ブロック１に対して第一回転軸５まわりに回転する。これは、第二係止ピン３６が第二円弧状長孔４８の折れ曲がり部分４９端部に位置しているためである。連動アーム３７を含む中間ブロック３と扉側ブロック４とは、重なったまま第一回転軸５まわりに回転する。このとき、第一係止ピン３５は第一円弧状長孔２６内をスライド移動する。そして、図８に示す規定角度の位置にて、第一係止ピン３５が第一円弧状長孔２６と折れ曲がり部分２７との交差部分に当接し、中間ブロック３は回転を停止する。
【００５５】
図８の状態からさらに扉１００を開けると、中間ブロック３はこれ以上回転できないため、扉側ブロック４には第二回転軸６まわりに回転しようとする力が働く。この力により、第二円弧状長孔４８の折れ曲がり部分４９が第二係止ピン３６を押し出し、連動アーム３７を回転させながら、第二円弧状長孔４８と折れ曲がり部分４９との交差部分にまで第二係止ピン３６を移動させる。つまり、扉側ブロック４の中間ブロック３に対する回転ロックが解除され、扉側ブロック４は中間ブロック３に対して第二回転軸６まわりに回転自在となる。このとき、連動アーム３７の回転によって第一係止ピン３５は第一円弧状長孔２６の折れ曲がり部分２７端部にまでスライド移動し、固定ブロック１に対する中間ブロック３の回転をロックする。扉側ブロック４は、図９に示す位置にまでそのまま９０°回動される。
【００５６】
上記の動作をまとめると、図２の全閉位置から図８に示すような規定角度に至るまでは、中間ブロック３に対して連動アーム３７が動作せず、第一係止ピン３５が第一円弧状長孔２６内をスライド移動しながら、中間ブロック３と扉側ブロック４が第一回転軸５まわりに一体回転する。規定角度からさらに回転する方向に力を加えれば、中間ブロック３に対して連動アーム３７が回動し、固定ブロック１に対する中間ブロック３の回転をロックし、中間ブロック３に対する扉側ブロック４の回転ロックを解除する。つまり、第二回転軸６を中心に扉側ブロック４だけがさらに回転する動作となる。
【００５７】
これらの構造により、本実施形態の回転規制機構が構成される。この回転規制機構は、中間ブロック３の第一回転軸５まわりの回転が規定角度に至るまでは扉側ブロック４の第二回転軸６まわりの回転を禁止させ、規定角度に至れば第二回転軸６まわりの回転を可能にするものである。他の機構によってこの回転規制を実現しても構わない。
【００５８】
図９に示す全開放状態から扉１００を閉じると、上記動作と逆の順序で各部材が動作する。つまり、まずは固定ブロック１に対して中間ブロック３が回転ロックされた状態で扉側ブロック４のみが回転する。扉側ブロック４が中間ブロック３に重なる位置にまで至れば、今度は中間ブロック３に対して扉側ブロック４が回転ロックされ、固定ブロック１に対して中間ブロック３と扉側ブロック４が一体回転する。
【００５９】
次に、扉枠１１０に取り付けた状態で扉１００の位置調整を行うための構造や手順について説明する。
【００６０】
本実施形態では、上記したように、下側ヒンジ装置Ａ及び上側ヒンジ装置Ｂがそれぞれ備える固定ブロック１に、カム板１６の回転によって可動ブロック２ひいては扉１００の左右位置調整を行うカム機構を備えている。また、下側取付ベース６０及び上側取付ベース８０には、カム板６５の回転によって扉１００の前後位置調整を行うカム機構を備えている。下側取付ベース６０の載置台７２には、扉１００の上下位置調整を行うための昇降機構を備えている。以下、これら位置調整用の機構について順に述べる。
【００６１】
左右位置調整用のカム機構は、固定ブロック１の位置調整窓１７，１８を通じてカム板１６の十字溝にドライバ先端を挿入し、カム板１６を回転操作することによって位置調整プレート７を左右方向に位置調整するものである。これら位置調整窓１７，１８や十字溝からなる左右方向のカム操作部は、図２に示す全閉位置では、中間ブロック３と扉側ブロック４に覆われて操作不能である。また、固定操作窓２１，２２や固定ネジ１９からなる固定操作部も、図２の全閉位置では中間ブロック３と扉側ブロック４に覆われて操作不能である。
【００６２】
一方、中間ブロック３と扉側ブロック４が、全閉位置から所定角度を超えて図８の規定角度に至ったときに、このカム操作部と固定操作部が露出するように設けている。左右位置調整を行う場合は、扉１００を開いてカム操作部と固定操作部を露出させ、まず固定操作部の固定ネジ１９を緩めて固定状態を解除する。そのうえで、カム操作部の十字溝にドライバ先端を挿入し、カム板１６を回転させることで左右位置調整を行い、再び固定ネジ１９を締めてその左右位置を固定する。
【００６３】
前後位置調整用のカム機構は、枠側連結具１４の位置調整窓２９を通じてカム板６５の十字溝にドライバ先端を挿入し、カム板６５を回転操作することによって、位置調整プレート６１や位置調整スペーサ６２を前後方向に位置調整するものである。これら位置調整窓２９や十字溝からなる前後方向の位置調整部は、図２の全閉位置では、扉１００に隠れて操作不能となる。
【００６４】
一方、中間ブロック３と扉側ブロック４が、全閉位置から所定角度を超えて図８の規定角度に至ったときに、この前後方向のカム操作部が露出するように設けている。したがって、前後位置調整を行う場合は、扉１００を開いて前後方向のカム操作部を露出させておき、カム操作部の十字溝にドライバ先端を挿入し、カム板６５を回転させることで前後位置調整を行う。
【００６５】
上下位置調整用の昇降機構は、下側取付ベース６０の載置台７２に設けた上下調整ネジ７４の十字溝内にドライバ先端を挿入して回転させることにより、位置決め係合部７３をなす金属部材を昇降させ、上下の位置調整を行うものである。
【００６６】
以上のように、本実施形態の取付構造によれば、作業者が一人であっても前後、左右、上下の位置調整を簡単に行うことができる。特に、扉１００の荷重を、隣接する各ブロック１，３，４間の対向面等で受けさせたうえで、固定ブロック１内にてカム板１６を縦軸中心に回転させ、位置調整プレート部１０を水平方向に移動させて位置調整を行うことができるので、小さな力での位置調整が可能となる。
【００６７】
なお、本実施形態では固定ブロック１内のカム機構を左右位置調整用としているが、前後位置調整用となるように設けてもよい。また、固定ブロック１内に左右位置調整用のカム機構と前後位置調整用のカム機構の両方を備えてもよい。
【００６８】
次に、扉１００を扉枠１１０から取り外すための構造や手順について説明する。
【００６９】
本実施形態では、上述したように、下側ヒンジ装置Ａの固定ブロック１が備える枠側連結具１４に仮保持解除片５０を備えることによって、下側ヒンジ装置Ａを仮保持状態から解除する解除手段を構成している。同様に、上側ヒンジ装置Ｂにおいても、固定ブロック１が備える枠側連結具１４に仮保持解除片５０を備えることによって、上側ヒンジ装置Ｂを仮保持状態から解除する解除手段を構成している。
【００７０】
これら仮保持解除片５０を回転操作するための十字溝からなる解除操作部７０は、図２の全閉位置では、扉１００に隠れて操作不能となる。一方、中間ブロック３と扉側ブロック４が、全閉位置から所定角度を超えて図８の規定角度に至ったとき、そして、さらに扉１００を開いて図９の全開位置に至っときに、解除操作部７０が露出するように設けている。なお、図９に示すように、全開状態においては扉側ブロック４が固定ブロック１よりも前方（扉１００を開く方向）に位置し、且つ逆方向を向くように設けている。
【００７１】
扉１００を取り外すときは、扉１００を開けて固定ネジ６８とこの解除操作部７０を露出させ、固定ネジ６８を外して本固定を解除したうえで、この解除操作部７０の十字溝にドライバ先端を挿入し、仮保持解除片５０を回転操作すればよい。回転された仮保持解除片５０は、係止爪片６９の爪部分を外側に押し広げ、仮保持状態を解除させる。そして、位置決め係合部７３を支点として扉１００全体を動かすことにより、簡単に扉１００を取り外すことができる。
【００７２】
以上説明したように、本実施形態のヒンジ構造では、可動ブロック２と固定ブロック１を縦軸まわりに回転自在に連結させ、可動ブロック２と固定ブロック１を上下方向に対向する互いの対向面で摺接させるように設けたヒンジ装置（下側ヒンジ装置Ａ）と、収納ケース９１に突起体９２を突没自在に設けるとともに突起体９２を突出方向にバネ付勢してなる指詰め防止装置９０とを用いる。ヒンジ装置の可動ブロック２を扉１００に固定し、固定ブロック１を扉枠１１０に固定する。指詰め防止装置９０の収納ケース９１を扉１００に固定し、突起体９２の先端が固定ブロック１の外側面に当接するように設ける。
【００７３】
このヒンジ構造によれば、ヒンジ装置の可動ブロック２は固定ブロック１に対して面でスライドするので、この部分において指詰めを生じることが抑えられる。加えて、扉１００と固定ブロック１との間において生じる隙間を、指詰め防止装置９０の突起体９２で塞ぐことで、指詰めを生じることがより効果的に抑えられる。
【００７４】
また、本実施形態のヒンジ構造では、指詰め防止装置９０の突起体９２を、扉１００が全閉位置から直角に開いた状態において、ヒンジ装置の固定ブロック１の角部分又は角部分近傍に当接するように、平面視にて傾いた姿勢で突出させている。
【００７５】
これにより、指が隙間に入ることをより効果的に抑制し、指詰めが生じることを抑えることができる。
【００７６】
以上、本発明を添付図面に示す実施形態に基づいて説明したが、本発明は実施形態に限定されるものではなく、本発明の意図する範囲内であれば、適宜の設計変更を行うことが可能である。
【符号の説明】
【００７７】
１  固定ブロック
２  可動ブロック
３  中間ブロック
４  扉側ブロック
５  第一回転軸
６  第二回転軸
１０  位置調整プレート部
１４  枠側連結具
１６  カム板
４３  扉側連結具
５０  仮保持解除片
６０  下側取付ベース
６４  カム孔
６９  係止爪片
７０  解除操作部
７２  載置台
７３  位置決め係合部
８０  上側取付ベース
９０  指詰め防止装置
９１  収納ケース
９２  突起体
１００  扉
１１０  扉枠
Ａ  上側ヒンジ装置
Ｂ  下側ヒンジ装置
【図１】
0005991804.tif 000002
【図２】
0005991804.tif 000003
【図３】
0005991804.tif 000004
【図４】
0005991804.tif 000005
【図５】
0005991804.tif 000006
【図６】
0005991804.tif 000007
【図７】
0005991804.tif 000008
【図８】
0005991804.tif 000009
【図９】
0005991804.tif 000010
【図１０】
0005991804.tif 000011
【図１１】
0005991804.tif 000012
【図１２】
0005991804.tif 000013
【図１３】
0005991804.tif 000014
【図１４】
0005991804.tif 000015